(57)【要約】【課題】ユーザが、カメラの合焦距離を合わせたり、撮影中にカメラ位置を固定したりすることなく、紙媒体のコンテンツと電子コンテンツを容易に繋ぐことが可能な情報読取装置等を提供する。【解決手段】情報読取装置１は、カメラ１１を内蔵する筐体１２と、カメラ１１によって撮影される画像データを外部装置に送信する送信手段を備える。天窓部１３ａは、筐体１２の上面１２１に設けられる。筐体１２の中空部１４には、カメラ１１及びカメラ１１の付属部品のみが内蔵される。筐体１２の底窓部１５ａは、筐体１２の下面１２２において天窓部１３ａと対向する位置に設けられる。カメラ１１は、天窓部１３ａ及び底窓部１５ａの間を遮らない位置に固定される。カメラ１１の向き及び合焦距離は、カメラ１１の撮影画角が底窓部１５ａと同程度の大きさであり、カメラ１１の合焦距離が底窓部に合うように固定される。【選択図】図４
2014006876.tif 000002
【特許請求の範囲】
【請求項１】
紙媒体の情報を読み取る情報読取装置であって、
カメラを内蔵する筐体と、
前記カメラによって撮影される画像データを外部装置に送信する送信手段と、
前記筐体の上面に設けられる天窓部と、
前記筐体の下面において前記天窓部と対向する位置に設けられる底窓部と、
を備え、
前記カメラは、前記天窓部及び前記底窓部の間を遮らない位置に固定され、
前記カメラの向き及び合焦距離は、前記カメラの撮影画角が前記底窓部と同程度の大きさであり、前記カメラの合焦距離が前記底窓部に合うように固定されている
ことを特徴とする情報読取装置。
【請求項２】
前記筐体の上面は、前記天窓部を除く部分が、透明又は半透明な材質からなる
ことを特徴とする請求項１に記載の情報読取装置。
【請求項３】
前記筐体の上面は、前記天窓部を除く部分が、梨地加工により半透明になっている
ことを特徴とする請求項２に記載の情報読取装置。
【請求項４】
前記天窓部及び前記底窓部は、透明な材質からなり、
前記筐体は、密閉されている
ことを特徴とする請求項１乃至請求項３のいずれかに記載の情報読取装置。
【請求項５】
前記天窓部は、拡大鏡である
ことを特徴とする請求項１乃至請求項４のいずれかに記載の情報読取装置。
【請求項６】
商品の商品識別情報および商品情報を記録した注文処理装置とネットワークを介して接続された端末であって、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、
前記商品識別情報を前記注文処理装置に送信し、前記注文処理装置から前記商品識別情報に対応する商品情報を受信する商品情報取得手段と、
前記商品情報を注文画面として表示し、注文画面にて注文の決定を受付ける注文受付手段と、
を有することを特徴とする端末。
【請求項７】
前記注文受付手段は、注文の決定に応じてログイン画面を表示し、ログイン画面で入力されたユーザ認証情報を前記注文処理装置に送信し、
前記ログイン画面は、数字と文字の入力領域を有するタッチキー入力部を有することを特徴とする請求項６記載の端末。
【請求項８】
前記読取手段は、紙媒体を撮影した画像データを画像表示画面として表示し、
前記商品情報取得手段は、取得した商品情報を商品情報画面として表示し、前記商品情報の商品を注文候補の商品とするか否かの選択を受付け、
前記注文受付手段は、注文候補の商品として選択された商品の前記商品情報を注文画面として表示することを特徴とする請求項６または請求項７に記載の端末。
【請求項９】
前記読取手段は、前記紙媒体を撮影した画像データにおいて複数の商品識別情報がある場合、前記画像表示画面にて前記商品識別情報の選択を受付け、
前記商品情報取得手段は、選択された商品識別情報を前記注文処理装置に送信し、前記注文処理装置から前記選択された商品識別情報に対応する商品情報を受信することを特徴とする請求項８記載の端末。
【請求項１０】
注文に関する案内を音声出力することを特徴とする請求項６乃至請求項９のいずれかに記載の端末。
【請求項１１】
前記注文処理装置から、ユーザが注文している商品の商品情報を受信し、注文確認画面として表示する注文確認手段を更に有することを特徴とする請求項６乃至請求項１０のいずれかに記載の端末。
【請求項１２】
端末とネットワークを介して接続された、商品の商品識別情報および商品情報を記録した注文処理装置であって、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから前記端末が取得した商品識別情報を受信して、前記商品識別情報に対応する商品情報を前記端末に送信する商品情報送信手段を有することを特徴とする注文処理装置。
【請求項１３】
端末と、商品の商品識別情報および商品情報を記録した注文処理装置とがネットワークを介して接続された注文システムであって、
前記端末は、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、
前記商品識別情報を前記注文処理装置に送信し、前記注文処理装置から前記商品識別情報に対応する商品情報を受信する商品情報取得手段と、
前記商品情報を注文画面として表示し、注文画面にて注文の決定を受付ける注文受付手段と、
を有し、
前記注文処理装置は、
前記端末から受信した前記商品識別情報に対応する商品情報を前記端末に送信する商品情報送信手段を有することを特徴とする注文システム。
【請求項１４】
商品の商品識別情報および商品情報を記録した注文処理装置とネットワークを介して接続された端末を用いた注文方法であって、
前記端末が、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得するステップと、
前記商品識別情報を前記注文処理装置に送信し、前記注文処理装置から前記商品識別情報に対応する商品情報を受信するステップと、
前記商品情報を注文画面として表示し、注文画面にて注文の決定を受付けるステップと、
を実行することを特徴とする注文方法。
【請求項１５】
商品の商品識別情報および商品情報を記録した注文処理装置とネットワークを介して接続された端末を、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、
前記商品識別情報を前記注文処理装置に送信し、前記注文処理装置から前記商品識別情報に対応する商品情報を受信する商品情報取得手段と、
前記商品情報を注文画面として表示し、注文画面にて注文の決定を受付ける注文受付手段と、
して機能させるためのプログラム。
【請求項１６】
端末とネットワークを介して接続された、商品の商品識別情報および商品情報を記録した注文処理装置を、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから前記端末が取得した商品識別情報を受信して、前記商品識別情報に対応する商品情報を前記端末に送信する商品情報送信手段として機能させるためのプログラム。
【請求項１７】
商品の商品識別情報および商品情報を記録した注文処理装置とネットワークを介して接続された端末を、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、
前記商品識別情報を前記注文処理装置に送信し、前記注文処理装置から前記商品識別情報に対応する商品情報を受信する商品情報取得手段と、
前記商品情報を注文画面として表示し、注文画面にて注文の決定を受付ける注文受付手段と、
して機能させるためのプログラムを記憶した記憶媒体。
【請求項１８】
端末とネットワークを介して接続された、商品の商品識別情報および商品情報を記録した注文処理装置を、
前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから前記端末が取得した商品識別情報を受信して、前記商品識別情報に対応する商品情報を前記端末に送信する商品情報送信手段として機能させるためのプログラムを記憶した記憶媒体。
【発明の詳細な説明】
【技術分野】
【０００１】
本発明は、紙媒体の情報を読み取る情報読取装置、および、端末、注文処理装置、注文システム、注文方法、プログラム、記憶媒体に関するものである。
【背景技術】
【０００２】
従来、紙媒体において、携帯電話の写真撮影機能を用いて、商品画像の近くに掲載されている二次元コードやバーコードを読み取り、コードを解読し、コードが示す所定ＵＲＬに自動的にアクセスすることによって、コードが付された商品の購入手続き・詳細情報入手・ＣＭ映像取得等の副次的なサービスを提供する仕組みは知られている。
【０００３】
特許文献１には、ユーザが、店舗から配布された印刷物に印刷された二次元コードを携帯電話のコード読取部によって読み取り、サーバにアクセスすると、サーバが、所定の情報を携帯端末に提供する情報提供システムが開示されている。
【０００４】
特許文献２には、封入封緘物の外装体に二次元コードが印字され、外装体に封入する印刷物に個人識別情報が印字されており、サーバが、二次元コードと個人識別情報を関連付けて記憶しておき、携帯電話の撮像装置が読み取ったコードから、サーバにアクセスした顧客の個人情報を特定する仕組みが開示されている。
【０００５】
特許文献３には、広告依頼主が、広告媒体に商品等の広告と共に、広告識別情報及び接続情報を含んで構成される広告内容識別情報を示す二次元コードを印刷し、広告を見た利用者が、広告媒体に印刷されている二次元コードを携帯電話機の撮像部で読み取り、２次元コードが示す接続情報に基づいてサーバにアクセスして広告識別情報を送信する仕組みが開示されている。
【０００６】
特許文献４には、広告媒体に印刷された商品の識別情報が記憶された２次元コードと、２次元コードの読み取り手段が内蔵されたユーザの携帯通信端末と、データベースを有するサーバとが通信ネットワークを介して相互に通信可能に接続され、ユーザが携帯通信端末で読み取った商品の識別情報に基づいて、商品の広告を掲載した商品ＷｅｂページのＵＲＬ情報を抽出し、ユーザに提供するＵＲＬ情報提供システムが開示されている。
【先行技術文献】
【特許文献】
【０００７】
【特許文献１】特開２００６−２３５２２７号公報
【特許文献２】特開２０１１−７３１７０号公報
【特許文献３】特許第３８８８０４９号公報
【特許文献４】特許第４８０３８１５号公報
【発明の概要】
【発明が解決しようとする課題】
【０００８】
しかしながら、特許文献１〜４のように、コードの読み取り手段として携帯電話に内蔵されているカメラを用いる場合、ユーザが、カメラの合焦距離を合わせたり、撮影中にカメラ位置を固定したりする必要がある。このような作業は、例えば、商品カタログによって数多くの商品を閲覧する場合、非常に不便である。
【０００９】
本発明は、前述した問題点に鑑みてなされたものであり、その目的とすることは、ユーザが、カメラの合焦距離を合わせたり、撮影中にカメラ位置を固定したりすることなく、紙媒体のコンテンツと電子コンテンツを容易に繋ぐことが可能な情報読取装置等を提供することである。
【課題を解決するための手段】
【００１０】
前述した目的を達成するための第１の発明は、紙媒体の情報を読み取る情報読取装置であって、カメラを内蔵する筐体と、前記カメラによって撮影される画像データを外部装置に送信する送信手段と、前記筐体の上面に設けられる天窓部と、前記筐体の下面において前記天窓部と対向する位置に設けられる底窓部と、を備え、前記カメラは、前記天窓部及び前記底窓部の間を遮らない位置に固定され、前記カメラの向き及び合焦距離は、前記カメラの撮影画角が前記底窓部と同程度の大きさであり、前記カメラの合焦距離が前記底窓部に合うように固定されていることを特徴とする情報読取装置である。
本発明によって、ユーザが、カメラの合焦距離を合わせたり、撮影中にカメラ位置を固定したりすることなく、紙媒体の情報を正確に読み取ることができる。ひいては、紙媒体のコンテンツと電子コンテンツを容易に繋ぐことが可能となる。
【００１１】
本発明における前記筐体の上面は、前記天窓部を除く部分が、透明又は半透明な材質からなることが望ましい。
これによって、底窓部における照度が高くなる。従って、紙媒体の上に情報読取装置が戴置された状態において、ユーザは、天窓部及び底窓部から、紙媒体に印字されている文字、図形、記号等を明確に目視することができるので、情報読取装置と紙媒体の位置合わせを容易に行うことができる。
【００１２】
また、本発明における前記筐体の上面は、前記天窓部を除く部分が、梨地加工により半透明になっていることが望ましい。
これによって、天窓部を除く部分を介して目視される物と、天窓部を介して目視される物とが明確に区別されるので、ユーザは、特に意識をしなくても、天窓部を介して内部を目視するために、天窓部を真上から覗き込む。そして、天窓部を真上から覗き込めば、情報読取装置と紙媒体の位置合わせは、所望の文字、図形、記号等が目視できる位置に合わせれば良いことになり、容易に位置合わせ作業ができる。
【００１３】
また、本発明における前記天窓部及び前記底窓部は、透明な材質からなり、前記筐体は、密閉されていることが望ましい。
これによって、筐体に内蔵されているカメラのレンズにゴミが付着することを回避することができる。
【００１４】
また、本発明における前記天窓部は、拡大鏡であることが望ましい。
これによって、情報読取装置によって読み取られる紙媒体の情報が、小さい文字、図形、記号等であっても、ユーザは、天窓部としての拡大鏡によって拡大される像を目視することができるので、情報読取装置と紙媒体の位置合わせを容易に行うことができる。
【００１５】
第２の発明は、商品の商品識別情報および商品情報を記録した注文処理装置とネットワークを介して接続された端末であって、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、前記商品識別情報を前記注文処理装置に送信し、前記注文処理装置から前記商品識別情報に対応する商品情報を受信する商品情報取得手段と、前記商品情報を注文画面として表示し、注文画面にて注文の決定を受付ける注文受付手段と、を有することを特徴とする端末である。
本発明では、カメラと紙媒体の距離を合焦距離に合わせて固定した状態で紙媒体を撮影することで商品識別情報を読み取り、これにより端末を用いて簡単な操作でオンライン注文できるようになる。従って、手書きの注文書を用いたり、ＰＣ画面からオンライン注文を行う従来の注文方法に比べ、操作の手間を省くことができる。また、注文は紙媒体を用いて行うから、チラシ等から商品を選ぶのと同じ感覚で操作でき、情報機器になじみのない高齢者などでも簡単に注文が可能になる。さらに、詳細な商品情報は電子データとして保持しておくので、チラシ等としては、商品の識別情報など最低限の情報を掲載するだけでよく、多数の商品を掲載した一覧性のあるチラシ等が低コストで製作できる利点もある。
【００１６】
前記注文受付手段は、注文の決定に応じてログイン画面を表示し、ログイン画面で入力されたユーザ認証情報を前記注文処理装置に送信し、前記ログイン画面は、数字と文字の入力領域を有するタッチキー入力部を有することが望ましい。
これにより、複雑でセキュリティ性の高いパスワード等がより簡易に入力できる。
【００１７】
前記読取手段は、紙媒体を撮影した画像データを画像表示画面として表示し、前記商品情報取得手段は、取得した商品情報を商品情報画面として表示し、前記商品情報の商品を注文候補の商品とするか否かの選択を受付け、前記注文受付手段は、注文候補の商品として選択された商品の前記商品情報を注文画面として表示することが望ましい。
これにより、注文操作が容易になるとともに、誤って商品識別情報を読み取った場合にも、商品の注文を容易に取りやめることができる。
【００１８】
前記読取手段は、前記紙媒体を撮影した画像データにおいて複数の商品識別情報がある場合、前記画像表示画面にて前記商品識別情報の選択を受付け、前記商品情報取得手段は、選択された商品識別情報を前記注文処理装置に送信し、前記注文処理装置から前記選択された商品識別情報に対応する商品情報を受信することが望ましい。
これにより、複数の商品識別情報を読み取った場合にも、所望の商品を選択することができ、商品の注文がより正確に行える。
【００１９】
また、注文に関する案内を音声出力することが望ましい。
これにより、注文操作の補助を行うことができる。
【００２０】
また、前記注文処理装置から、ユーザが注文している商品の商品情報を受信し、注文確認画面として表示する注文確認手段を更に有することが望ましい。
これにより、ユーザ自らが注文している商品を容易に把握できるようになる。
【００２１】
第３の発明は、端末とネットワークを介して接続された、商品の商品識別情報および商品情報を記録した注文処理装置であって、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから前記端末が取得した商品識別情報を受信して、前記商品識別情報に対応する商品情報を前記端末に送信する商品情報送信手段を有することを特徴とする注文処理装置である。
【００２２】
第４の発明は、端末と、商品の商品識別情報および商品情報を記録した注文処理装置とがネットワークを介して接続された注文システムであって、前記端末は、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、前記商品識別情報を前記注文処理装置に送信し、前記注文処理装置から前記商品識別情報に対応する商品情報を受信する商品情報取得手段と、前記商品情報を注文画面として表示し、注文画面にて注文の決定を受付ける注文受付手段と、を有し、前記注文処理装置は、前記端末から受信した前記商品識別情報に対応する商品情報を前記端末に送信する商品情報送信手段を有することを特徴とする注文システムである。
【００２３】
第５の発明は、商品の商品識別情報および商品情報を記録した注文処理装置とネットワークを介して接続された端末を用いた注文方法であって、前記端末が、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得するステップと、前記商品識別情報を前記注文処理装置に送信し、前記注文処理装置から前記商品識別情報に対応する商品情報を受信するステップと、前記商品情報を注文画面として表示し、注文画面にて注文の決定を受付けるステップと、を実行することを特徴とする注文方法である。
【００２４】
第６の発明は、商品の商品識別情報および商品情報を記録した注文処理装置とネットワークを介して接続された端末を、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、前記商品識別情報を前記注文処理装置に送信し、前記注文処理装置から前記商品識別情報に対応する商品情報を受信する商品情報取得手段と、前記商品情報を注文画面として表示し、注文画面にて注文の決定を受付ける注文受付手段と、して機能させるためのプログラムである。
【００２５】
第７の発明は、端末とネットワークを介して接続された、商品の商品識別情報および商品情報を記録した注文処理装置を、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから前記端末が取得した商品識別情報を受信して、前記商品識別情報に対応する商品情報を前記端末に送信する商品情報送信手段として機能させるためのプログラムである。
【００２６】
第８の発明は、商品の商品識別情報および商品情報を記録した注文処理装置とネットワークを介して接続された端末を、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから、商品識別情報を取得する読取手段と、前記商品識別情報を前記注文処理装置に送信し、前記注文処理装置から前記商品識別情報に対応する商品情報を受信する商品情報取得手段と、前記商品情報を注文画面として表示し、注文画面にて注文の決定を受付ける注文受付手段と、して機能させるためのプログラムを記憶した記憶媒体である。
【００２７】
第９の発明は、端末とネットワークを介して接続された、商品の商品識別情報および商品情報を記録した注文処理装置を、前記端末と別体もしくは一体に設けられたカメラからの合焦距離が紙媒体の上に合うように前記カメラと前記紙媒体の距離を固定手段で固定した状態で、前記カメラによって紙媒体を撮影した画像データから前記端末が取得した商品識別情報を受信して、前記商品識別情報に対応する商品情報を前記端末に送信する商品情報送信手段として機能させるためのプログラムを記憶した記憶媒体である。
【発明の効果】
【００２８】
本発明により、ユーザが、カメラの合焦距離を合わせたり、撮影中にカメラ位置を固定したりすることなく、紙媒体のコンテンツと電子コンテンツを容易に繋ぐことが可能な情報読取装置等を提供することができる。
【図面の簡単な説明】
【００２９】
【図１】情報提供システムの概要を示す図
【図２】情報読取装置及び紙媒体を真上から見た図
【図３】情報読取装置と紙媒体の位置合わせがなされた図
【図４】情報読取装置の第１の例を示す図
【図５】情報読取装置の第２の例を示す図
【図６】情報読取装置の第３の例を示す図
【図７】情報読取装置の第４の例を示す図
【図８】情報読取装置の第５の例を示す図
【図９】情報読取装置の第６の例を示す図
【図１０】情報読取装置と端末を示す図
【図１１】商品データとユーザデータを示す図
【図１２】端末とサーバの機能構成を示す図
【図１３】注文処理の流れを示すフローチャート
【図１４】注文画面の例を示す図
【図１５】ログイン画面の例を示す図
【図１６】注文確認画面の例を示す図
【図１７】端末用ジャケットを示す図
【図１８】注文処理の流れを示すフローチャート
【図１９】画像表示画面の例を示す図
【図２０】画像表示画面の例を示す図
【図２１】商品情報画面の例を示す図
【図２２】商品情報画面の例を示す図
【図２３】注文画面の例を示す図
【図２４】画像表示画面の例を示す図
【発明を実施するための形態】
【００３０】
以下図面に基づいて、本発明の実施形態を詳細に説明する。
【００３１】
［第１の実施形態］
図１は、情報提供システムの概要を示す図である。情報提供システム１００は、紙媒体４のコンテンツと、サーバ３によって記憶されている電子コンテンツ５を繋ぐためのシステムである。情報提供システム１００では、情報読取装置１と端末２とが、無線又は有線によってデータ送受信可能に接続されている。また、情報提供システム１００では、端末２とサーバ３とが、ネットワーク６を介して、データ送受信可能に接続されている。ネットワーク６は、例えば、ＬＡＮ（Local Area Network）、インターネット等である。
【００３２】
情報提供システム１００では、情報読取装置１が紙媒体４の情報を読み取り、端末２に送信する。読み取られる情報は、例えば、商品番号等である。次に、端末２が、読み取られる情報（商品番号等）をサーバ３に送信する。次に、サーバ３が、受信される情報（商品番号等）を検索条件として記憶部３２を検索し、検索される電子コンテンツ５を端末２に送信する。電子コンテンツ５は、例えば、商品情報が掲載されているウェブページである。そして、端末２は、受信される電子コンテンツ５（ウェブページ等）を表示する。
【００３３】
情報読取装置１は、カメラ１１を内蔵する。カメラ１１は、静止画像又は動画像を撮影するものであり、紙媒体４に印字されている文字、図形、記号等を認識可能な程度の解像度によって撮影できれば良い。ここで、文字が認識可能とは、公知の文字認識プログラムによって、文字コードを正確に特定可能なことを意味する。また、図形、記号が認識可能とは、例えば、バーコードや二次元コードであれば、公知のコード認識プログラムによって、コードを正確に特定可能なことを意味する。
【００３４】
端末２は、制御部２１、記憶部２２、表示部２３、入力部２４、Ｉ／Ｏ２５などを備える。端末２としては、タブレット端末やスマートフォンなどを用いることができる。但し端末２はこれに限ることなく、適宜様々な構成をとることができる。例えば端末２としてケーブルテレビ端末などを用いることも可能である。
【００３５】
制御部２１は、ＣＰＵ（Central Processing Unit）、ＲＯＭ（Read Only Memory）、ＲＡＭ（Random Access Memory）などから構成される。ＣＰＵは、記憶部２２、ＲＯＭ、記憶媒体などに格納されるプログラムをＲＡＭ上のワークメモリ領域に呼び出して実行し、各装置を駆動制御し、端末２が行う処理を実現する。ＲＯＭは、不揮発性メモリであり、端末２のブートプログラムやＢＩＯＳなどのプログラム、データなどを恒久的に保持している。ＲＡＭは、揮発性メモリであり、記憶部２２、ＲＯＭ、記憶媒体などからロードしたプログラム、データなどを一時的に保持するとともに、制御部２１が各種処理を行う為に使用するワークエリアを備える。
【００３６】
記憶部２２は、例えば、ＨＤＤ（Hard Disk Drive）であり、制御部２１が実行するプログラム、プログラム実行に必要なデータ、ＯＳ（Operating System）などが格納される。プログラムに関しては、ＯＳに相当する制御プログラムや、後述する処理を端末２に実行させるためのアプリケーションプログラムが格納されている。これらの各プログラムコードは、制御部２１により必要に応じて読み出されてＲＡＭに移され、ＣＰＵに読み出されて各種の手段として実行される。
【００３７】
表示部２３は、液晶パネルなどのディスプレイ装置、ディスプレイ装置と連携して端末２のビデオ機能を実現するための論理回路など（ビデオアダプタなど）を有する。入力部２４は、データの入力を行い、例えば、キーボード、マウスなどのポインティングデバイス、テンキーなどの入力装置を有する。入力部２４を介して、端末２に対して、操作指示、動作指示、データ入力などを行うことができる。尚、表示部２３及び入力部２４は、タッチパネルディスプレイのように、一体となっていても良い。
【００３８】
Ｉ／Ｏ（Input／Output）２５は、端末２に周辺機器（カメラ１１、通信機器など）を接続するためのインタフェースである。端末２は、Ｉ／Ｏ２５を介して周辺機器とのデータの送受信を行う。Ｉ／Ｏ２５の一例としては、ＵＳＢ、ＩＥＥＥ１３９４、ＲＳ−２３２Ｃなどの規格に従った有線コネクタや、記憶媒体を読み書きするためのドライブ装置や、無線ＬＡＮ機器や、Bluetooth（登録商標）送受信機などがある。周辺機器との接続形態は、有線、無線を問わない。
【００３９】
サーバ３は、制御部３１、記憶部３２、表示部３３、入力部３４、Ｉ／Ｏ３５などを備える。制御部３１、記憶部３２、表示部３３、入力部３４、Ｉ／Ｏ３５は、端末２の制御部２１、記憶部２２、表示部２３、入力部２４、Ｉ／Ｏ２５と同様であるため、説明を省略する。
【００４０】
サーバ３の記憶部３２には、電子コンテンツ５が記憶されている。例えば、紙媒体４のコンテンツが商品カタログの場合、電子コンテンツ５は、各商品の詳細情報（詳細画像、商品仕様、取扱説明書、解説書、利用例、機能一覧表、タイプ一覧表、施工例、在庫数、特売情報、関連商品等）である。
【００４１】
図２は、情報読取装置及び紙媒体を真上から見た図である。図２に示す例では、紙媒体４のコンテンツは、照明器具のカタログである。図２では、紙媒体４の一部を図示している。図２に示す例では、紙媒体４には、商品ごとに、商品名、商品簡易画像、商品番号４１、発売日、価格が掲載されている。
【００４２】
また、図２に示すように、情報読取装置１の筐体１２には、カメラ１１（点線にて図示）が内蔵されている。カメラ１１には、筐体１２の側面に設けられる有線コネクタ（不図示）を介して、ＵＳＢ（Universal Serial Bus）ケーブル７が接続されている。ＵＳＢ（Universal
Serial Bus）ケーブル７の他端は、端末２のＩ／Ｆ２５に接続される。ＵＳＢケーブル７は、カメラ１１によって撮影される画像データを端末２（外部装置）に送信する送信手段として機能する。
【００４３】
画像データの送信手段は、ＵＳＢケーブル７に限定されない。例えば、画像データの送信手段は、無線ＬＡＮ機器やBluetooth（登録商標）送受信機等であっても良い。この場合、情報読取装置１の筐体１２には、無線ＬＡＮ機器やBluetooth（登録商標）送受信機等が内蔵される。
【００４４】
尚、ＵＳＢケーブル７であれば、カメラ１１の電力供給も可能となるため、情報読取装置１を小型化できる。
【００４５】
また、情報読取装置１は、記憶部を備えていても良い。この場合、情報読取装置１の記憶部は、端末２にインストールされるプログラムを記憶しておく。そして、情報読取装置１と端末２とがＵＳＢケーブル７を介して接続されると、端末２の制御部２１は、情報読取装置１の記憶部に記憶されているプログラムを、記憶部２２にインストールする仕組みとする。これによって、ユーザは、ＵＳＢケーブル７を接続するだけで、情報提供システム１００を利用することができる。
【００４６】
また、図２に示すように、筐体１２の上面には、天窓部１３が設けられる。天窓部１３は、ユーザが筐体１２の内部を視認可能とする。また、筐体１２の下面においては、天窓部１３と対向する位置に底窓部が設けられる。底窓部は、ユーザが筐体１２の下側を視認可能とする。また、カメラ１１は、天窓部１３及び底窓部の間を遮らない位置に固定される。従って、ユーザは、天窓部１３を真上から覗き込むことによって、筐体１２の下側が視認可能となる。
【００４７】
カメラ１１の向き及び合焦距離は、カメラ１１の撮影画角が底窓部と同程度の大きさであり、カメラ１１の合焦距離が底窓部に合うように筐体１２（固定手段）に固定される。従って、カメラ１１は、底窓部の枠及び内部に合焦距離が合った状態で撮影可能となる。
【００４８】
天窓部１３及び底窓部の具体例やカメラ１１の設置位置の詳細については、図４〜図９を参照しながら後述する。
【００４９】
尚、図２に示す例では、天窓部１３の形状が矩形となっているが、矩形に限定されるものではない。天窓部１３の形状や大きさは、読取対象となる紙媒体４の割付（レイアウト）に依存する。図２に示す例では、情報読取装置１によって読み取られる情報は、商品番号４１である。図２に示す例では、商品番号４１が矩形に囲まれているため、天窓部１３の形状は矩形とすることが望ましい。また、天窓部１３の大きさは、商品番号４１を囲む矩形の大きさよりも、やや大きくすることが望ましい。何れも、情報読取装置１と紙媒体４の位置合わせを容易にするためである。
【００５０】
図３は、情報読取装置と紙媒体の位置合わせがなされた図である。図３に示すように、情報読取装置１と紙媒体４の位置合わせが正しく行われた状態は、情報読取装置１の天窓部１３から商品番号４１が視認可能な状態である。このように位置合わせが行われた状態でカメラ１１が撮影を行うと、商品番号４１を含む画像データが得られる。端末２の制御部２１は、この画像データを受信し、公知の文字認識プログラムの機能によって、商品番号４１の文字認識を行い、文字コードを特定する。文字認識プログラムは、予め端末２の記憶部２２にインストールされているものとする。図３に示す例では、端末２の制御部２１は、「ＤＮＰ１００２」という文字コードを特定する。
【００５１】
情報読取装置１の利用例は、以上の通りである。本実施の形態における情報読取装置１によれば、ユーザが、カメラ１１の合焦距離を合わせたり、撮影中にカメラ位置を固定したりすることなく、紙媒体４のコンテンツと電子コンテンツ５を容易に繋ぐことが可能となる。そして、カメラ１１の合焦距離が正確に合った状態で撮影されるので、文字認識処理が必要な商品番号４１などであっても、文字認識処理の精度が向上し、実用に耐える。尚、情報読取装置１が読み取る情報は、商品番号４１に限らず、バーコードや２次元コードなどのように予め規格化されている記号や図形などであっても良い。
【００５２】
以下では、天窓部１３及び底窓部の具体例やカメラ１１の設置位置の詳細について説明する。
【００５３】
図４は、情報読取装置の第１の例を示す図である。図４（ａ）は、図２のＡ−Ａ断面図である。図４（ｂ）は、図３のＢ−Ｂ断面図である。
【００５４】
情報読取装置１ａは、カメラ１１を内蔵する筐体１２と、カメラ１１によって撮影される画像データを外部装置に送信する送信手段を備える。情報読取装置１ａの筐体１２は、例えば、直方体の箱型の形状である。天窓部１３ａは、筐体１２の上面１２１に設けられる。筐体１２の中空部１４は、カメラ１１及びカメラ１１の付属部品のみが内蔵される。筐体１２の底窓部１５ａは、筐体１２の下面１２２において天窓部１３ａと対向する位置に設けられる。
【００５５】
カメラ１１は、天窓部１３ａ及び底窓部１５ａの間を遮らない位置に固定される。カメラ１１の向き及び合焦距離は、カメラ１１の撮影画角が底窓部１５ａと同程度の大きさであり、カメラ１１の合焦距離が底窓部１５ａに合うように固定される。これによって、ユーザは、カメラ１１の合焦距離を合わせたり、撮影中にカメラ位置を固定したりすることなく、紙媒体４の情報を正確に読み取ることができる。
【００５６】
図４に示す例では、筐体１２は、天窓部１３ａ及び底窓部１５ａを除く部分が、透明又は半透明な材質からなり、例えば、プラスチックやガラスなどである。また、天窓部１３ａ及び底窓部１５ａは、透明な材質からなり、例えば、プラスチックやガラスなどである。
【００５７】
特に、筐体１２の上面１２１は、天窓部１３ａを除く部分が、透明又は半透明な材質からなることが望ましい。これによって、底窓部１５ａにおける照度が高くなる。従って、紙媒体４の上に情報読取装置１が戴置された状態において、ユーザは、天窓部１３ａ及び底窓部１５ａから、紙媒体４に印字されている文字、図形、記号等を明確に目視することができるので、情報読取装置１と紙媒体４の位置合わせを容易に行うことができる。
【００５８】
また、特に、筐体１２の上面１２１は、天窓部１３ａを除く部分が、梨地加工により半透明になっていることが望ましい。これによって、天窓部１３ａを除く部分（＝梨地加工がなされている部分）を介して目視される物と、天窓部１３ａ（＝透明な部分）を介して目視される物とが明確に区別されるので、ユーザは、特に意識をしなくても、天窓部１３ａを介して内部を目視するために、天窓部１３ａを真上から覗き込む。そして、天窓部１３ａを真上から覗き込めば、情報読取装置１と紙媒体４の位置合わせは、所望の文字、図形、記号等が目視できる位置に合わせれば良いことになり、容易に位置合わせ作業ができる。
【００５９】
また、特に、天窓部１３ａ及び底窓部１５ａは、透明な材質からなり、筐体１２は、密閉されていることが望ましい。これによって、筐体１２に内蔵されているカメラ１１のレンズにゴミが付着することを回避することができる。
【００６０】
尚、図面が視認しやすいように、図４（ｂ）において、情報読取装置１ａと紙媒体４は、少し離れて図示されているが、実際には筐体１２の下面１２２と紙媒体４の表面は当接している。つまり、情報読取装置１ａは紙媒体４の上に戴置されている状態で撮影可能である。従って、紙媒体４の表面が平らな状態であれば、ユーザは、撮影中に情報読取装置１ａを支持している必要はない。
【００６１】
図５は、情報読取装置の第２の例を示す図である。図５（ａ）は、図２のＡ−Ａ断面図である。図５（ｂ）は、図３のＢ−Ｂ断面図である。第１の例と異なる点は、天窓部１３ｂが開口していることである。図５に示す例のように、天窓部１３ｂが開口していても、「ユーザが筐体１２の内部を視認可能とする」という目的を達成することができる。
【００６２】
図６は、情報読取装置の第３の例を示す図である。図６（ａ）は、図２のＡ−Ａ断面図である。図６（ｂ）は、図３のＢ−Ｂ断面図である。第１の例及び第２の例と異なる点は、天窓部１３ｃが拡大鏡であることである。図６に示す例のように、天窓部１３ｃが拡大鏡であっても、「ユーザが筐体１２の内部を視認可能とする」という目的を達成することができる。
【００６３】
特に、天窓部１３ｃが拡大鏡であれば、情報読取装置１によって読み取られる紙媒体４の情報が、小さい文字、図形、記号等であっても、ユーザは、天窓部１３ｃとしての拡大鏡によって拡大される像を目視することができるので、情報読取装置１と紙媒体４の位置合わせを容易に行うことができる。
【００６４】
図７は、情報読取装置の第４の例を示す図である。図７（ａ）は、図２のＡ−Ａ断面図である。図７（ｂ）は、図３のＢ−Ｂ断面図である。第１の例と異なる点は、底窓部１５ｄが開口していることである。図７に示す例のように、底窓部１５ｄが開口していても、「ユーザが筐体１２の下側を視認可能とする」という目的を達成することができる。
【００６５】
図８は、情報読取装置の第５の例を示す図である。図８（ａ）は、図２のＡ−Ａ断面図である。図８（ｂ）は、図３のＢ−Ｂ断面図である。第１の例〜第４の例と異なる点は、天窓部１３ｅ及び底窓部１５ｅが開口していることである。図８に示す例のように、天窓部１３ｅが開口していても、「ユーザが筐体１２の内部を視認可能とする」という目的を達成することができる。同様に、底窓部１５ｅが開口していても、「ユーザが筐体１２の下側を視認可能とする」という目的を達成することができる。
【００６６】
図９は、情報読取装置の第６の例を示す図である。図９（ａ）は、図２のＡ−Ａ断面図である。図９（ｂ）は、図３のＢ−Ｂ断面図である。第１の例〜第５の例と異なる点は、天窓部１３ｆが拡大鏡であり、底窓部１５ｆが開口していることである。図９に示す例のように、底窓部１５ｆが開口していても、「ユーザが筐体１２の下側を視認可能とする」という目的を達成することができる。
【００６７】
特に、天窓部１３ｆが拡大鏡であれば、情報読取装置１によって読み取られる紙媒体４の情報が、小さい文字、図形、記号等であっても、ユーザは、天窓部１３ｆとしての拡大鏡によって拡大される像を目視することができるので、情報読取装置１と紙媒体４の位置合わせを容易に行うことができる。更に、底窓部１５ｆが開口しているので、拡大鏡によって拡大される像が歪むことがなく、視認し易い。
【００６８】
尚、上記の説明では、天窓部１３が拡大鏡の例を説明したが、端末２が拡大鏡の役目を果たしても良い。つまり、端末２の制御部２１が、情報読取装置１から送信される画像データを表示部２３に拡大表示する。この場合、ユーザは、端末２の表示部２３を見ながら、情報読取装置１と紙媒体４の位置合わせを微調整することができる。
【００６９】
次に、情報提供システム１００における情報提供方法の例として、情報提供システム１００を注文システムとして使用し注文を行う例について説明する。
【００７０】
図１０は、注文時の端末と情報読取装置の状態を示す図である。図に示すように、情報読取装置１としては、図９で説明した情報読取装置１ｆを用い、これを紙媒体４上に載置して操作する。紙媒体４は、商品のカタログや広告とし、多数の商品について画像等が掲載されており、各商品に対応する位置にその商品の商品番号４１が黒背景の白抜き文字で印刷されているものとする。ただし、紙媒体４や商品番号４１がこれに限ることはない。
【００７１】
端末２としては、例えば表示部２３がタッチパネルディスプレイとして入力部２４と一体化したタブレット端末を用いることができる。
【００７２】
端末２は、前記の図１に示したようにネットワーク６を介してサーバ３と接続する。サーバ３は注文処理装置として機能する。サーバ３の記憶部３２には、電子コンテンツ５として、商品データおよびユーザデータなどが記憶される。
【００７３】
図１１は商品データおよびユーザデータの例を示す図である。図に示す商品データ４０は、商品番号４１と、商品名４２、単価４３、商品画像４４等の商品情報とを紐付けて記録したものである。
【００７４】
商品番号４１は、商品を識別する商品識別情報である。
商品名４２は、商品の説明を含んだ商品の名称である。
単価４３は、商品の価格である。
商品画像４４は、商品を示す画像である。
【００７５】
ユーザデータ５０は、ユーザＩＤ５１、パスワード５２、ユーザ名５３、注文情報５４などを紐付けて記録したものである。
【００７６】
ユーザＩＤ５１は、ユーザを識別するユーザ識別情報である。
パスワード５２は、ユーザ認証に用いるパスワードである。なお、ここでは、セキュリティ性を高めるため、パスワード５２としては数字とアルファベット等の文字とが含まれたものを用いる。
ユーザ名５３は、ユーザの名称である。
注文情報５４は、ユーザが注文している商品に関する情報であり、例えば、商品の商品番号、数量などがある。
【００７７】
なお、記憶部３２の電子コンテンツ５としては、これらのデータの他、注文処理に必要な情報、例えば後述する各種の画面を表示させるのに必要なウェブページのデータなどが記憶される。
【００７８】
図１２は、端末およびサーバの機能構成を示す図である。図に示すように、端末２は、読取手段２６、商品情報取得手段２７、注文受付手段２８、注文確認手段２９を有する。
【００７９】
読取手段２６は、情報読取装置１を用いて、カメラ１１の合焦距離が紙媒体４の上に合うようにカメラ１１と紙媒体４の距離を固定した状態で、カメラ１１によって紙媒体４を撮影した画像データから、商品番号４１を取得するものである。
【００８０】
商品情報取得手段２７は、上記の商品番号４１等をサーバ３に送信し、商品番号４１に対応する商品情報をサーバ３から受信するものである。
【００８１】
注文受付手段２８は、商品情報を注文画面として表示し、注文画面にて注文の決定を受付けるものである。また、注文の決定時には、ユーザＩＤ５１やパスワード５２をユーザ認証情報として入力するためのログイン画面を表示し、入力されたユーザ認証情報をサーバ３に送信してユーザ認証を行う。
【００８２】
注文確認手段２９は、ユーザが注文している商品の商品情報等をサーバ３から受信し、注文確認画面として表示するものである。
【００８３】
一方、サーバ３は、商品情報送信手段３６、注文確認画面送信手段３７を有する。
【００８４】
商品情報送信手段３６は、前記のように端末２が取得した商品番号４１を受信して、商品番号４１に対応する商品情報を端末２に送信するものである。
【００８５】
注文確認画面送信手段３７は、ユーザの注文している商品の商品情報等を注文確認画面として端末２に送信するものである。
【００８６】
次に、図１３を参照して、注文処理の流れについて説明する。図１３は、注文処理の一連の流れを示すフローチャートである。図１３のＳ１０１〜Ｓ１０８の処理は、端末２の制御部２１によって実行される処理である。
【００８７】
注文を行うには、まず、ユーザが、前記の図１０に示すように紙媒体４上に情報読取装置１を載置する。そして、端末２の表示部２３に表示された、端末２に予めインストールされている注文用アプリケーションプログラムのアイコン（不図示）をタッチする。
【００８８】
すると、端末２の制御部２１は注文用アプリケーションプログラムを起動し（Ｓ１０１）、サーバ３に接続してサーバ３が提供する後述の注文画面を表示部２３に表示するとともに、情報読取装置１のカメラ１１で紙媒体４の撮影を行う。この時、カメラ１１からの合焦距離は紙媒体４の上に合っている。なお、サーバ３との接続時には、必要に応じてユーザＩＤ５１およびパスワード５２を端末２から入力しサーバ３に送信してユーザ認証を行うようにしてもよい。
【００８９】
ユーザは、情報読取装置１を紙媒体４上で移動させ、天窓部１３に注文したい商品の商品番号４１が写っている状態で静止させる。端末２の制御部２１は、カメラ１１が静止している時に紙媒体４を撮影した画像データから、文字認識プログラムによって商品番号４１の文字認識を行い、商品番号４１を取得する（Ｓ１０２）。なお、カメラ１１の静止状態は、例えばカメラ１１により撮影した画像データに所定時間変化がない等により判別できる。
【００９０】
次に、端末２の制御部２１は、取得した商品番号４１等をサーバ３に送信し、商品番号４１に対応する商品情報を要求する。サーバ３の制御部３１は、記憶部３２に記憶している商品データ４０から、商品番号４１に対応する商品情報等を端末２に送信する。端末２の制御部２１は、サーバ３から商品情報等を受信して取得し（Ｓ１０３）、商品情報を注文画面として表示部２３に表示する（Ｓ１０４）。
【００９１】
図１４は注文画面の例を示す図である。図１４に示す注文画面２００は、商品番号４１、商品名４２、商品画像４４、数量２０１、増減ボタン２０２、小計２０４、削除ボタン２０６、注文決定ボタン２０７、ログアウトボタン２０８等を有する。
【００９２】
数量２０１は、商品を注文する数量を表す。初期値としては、「１」が設定される。
増減ボタン２０２は、数量２０１を変更するためのボタンである。ユーザが増減ボタン２０２の上矢印をタッチすると、端末２の制御部２１は数量２０１を増やし、下矢印をタッチすると数量２０１を減らす。数量２０１は、所定時間、例えば２秒間変更が無ければ一旦確定される。
小計２０４は、商品の単価４３と数量２０１の積である。
【００９３】
削除ボタン２０６は、商品の注文を取り消すためのボタンである。ユーザが削除ボタン２０６をタッチすると、端末２の制御部２１は該当する商品の注文内容を削除する。
注文決定ボタン２０７は、商品の注文を決定するためのボタンである。
ログアウトボタン２０８は、商品の注文を終了するためのボタンである。
【００９４】
図１３の説明に戻る。ユーザは、情報読取装置１を紙媒体４上で移動させながら、注文したい商品の商品番号４１を全て読み取り、上記のようにして各商品の数量２０１を確定すると注文決定ボタン２０７にタッチする。
【００９５】
端末２の制御部２１は、注文画面２００上で注文決定ボタン２０７がタッチされたことを検出するまで（Ｓ１０５：Ｎｏ）、ユーザの操作に従ってＳ１０２〜Ｓ１０４の処理を繰り返し、注文決定ボタン２０７がタッチされたことを検出すると（Ｓ１０５：Ｙｅｓ）、注文の決定を受付けて表示部２３にログイン画面を表示する（Ｓ１０６）。
【００９６】
図１５はログイン画面の例を示す図である。図１５に示すログイン画面３００は、タッチキー入力部３０１、ユーザＩＤ５１、パスワード５２、ログインボタン３０４等を有する。
【００９７】
タッチキー入力部３０１は、パスワード５２等を入力するための数字およびアルファベット等の文字などの入力領域を有する。ユーザは、タッチキー入力部３０１の数字や文字の入力領域にタッチすることにより、パスワード５２等を入力する。なお、タッチキー入力部３０１の代わりに、端末２での入力に通常用いられるようなスクリーンキーボードを用いてもよい。また、ユーザがログイン状態にある場合などでは、ユーザＩＤ５１等が予めセットされた状態としてもよい。
【００９８】
ログインボタン３０４は、ユーザＩＤ５１やパスワード５２などのユーザ認証情報を入力された内容で確定し、ログインするためのボタンである。
【００９９】
ユーザは、ログイン画面３００にて必要なユーザ認証情報を入力し、ログインボタン３０４にタッチする。端末２の制御部２１は、ログインボタン３０４がタッチされたことを検出すると、サーバ３にユーザＩＤ５１およびパスワード５２等のユーザ認証情報を含んだログイン要求を送信する（Ｓ１０７）。なお、この時商品番号４１や数量２０１等も送信する。
【０１００】
サーバ３の制御部３１は、端末２から受信したユーザ認証情報を用いてユーザ認証を行う。例えばユーザＩＤ５１とパスワード５２の組合せがユーザデータ５０に存在するか検索する。存在すればログイン成功として注文を確定し、ユーザデータ５０の注文情報５４として、商品番号４１や数量２０１等を記録し、商品の発注処理を配送業者等のサーバに対し行う。そして、端末２に、ユーザが注文している商品の商品番号４１に対応する商品情報や必要な注文情報５４等を送信する。端末２の制御部２１は、商品情報等を受信し、注文確認画面として表示部２３に表示する（Ｓ１０８）。
【０１０１】
図１６は注文確認画面の例を示す図である。図１６に示す注文確認画面４００は、商品番号４１、商品名４２、単価４３、商品画像４４、数量２０１、注文日時４０１、数量変更ボタン４０２、小計４０４、配達日４０５、取消ボタン４０６、スクロールバー４０７、支払金額合計４０８、品番入力ボタン４０９、ログアウトボタン４１０等を有する。
【０１０２】
注文日時４０１は、商品番号４１が読み取られた日時である。
数量変更ボタン４０２は、商品の数量２０１を変更するためのボタンである。
小計４０４は、商品の単価４３と数量２０１の積である。
配達日４０５は、商品をユーザの自宅等に配達する予定日時である。
【０１０３】
削除ボタン４０６は、商品の注文を取り消すためのボタンである。
スクロールバー４０７は、画面をスクロールして表示させるための操作バーである。
支払金額合計４０８は、注文に係る支払金額の合計と、注文している商品の数を表示したものである。
品番入力ボタン４０９は、Ｓ１０２に戻って紙媒体４の読み取りを再開し、商品の注文を行うためのボタンである。
ログアウトボタン４１０は、図１４のログアウトボタン２０８と同様である。
【０１０４】
図１３の説明に戻る。ユーザは、注文確認画面４００で注文内容を確認した後、ログアウトボタン４１０にタッチして注文処理を終了する。端末２の制御部２１は、ログアウトボタン４１０にタッチされたことを検出すると、サーバ３に対してユーザのログアウト要求を送信する（Ｓ１０９）。サーバ３はログアウト要求を受信するとログアウト処理を行い、一連の注文処理を終了する。
【０１０５】
なお、端末２の表示部２３に注文画面２００、ログイン画面３００、注文確認画面４００等を表示する際には、端末２が備える音声出力機能を用いて、注文に関する案内を音声出力するようにしてもよい。
【０１０６】
例えばＳ１０１で最初に注文画面２００を表示する際に、「チラシの商品番号を読込んで下さい」と音声出力したり、Ｓ１０３で商品情報を取得した際に、商品情報の内容を音声出力したりできる。また、注文画面２００が表示された状態で所定時間、例えば１５秒間新たな処理が行われない場合に、「注文決定ボタンにタッチすると、注文確認画面に移ります」と音声出力することもできる。
【０１０７】
さらに、ログイン画面３００を表示する際に、「パスワードを画面上のキーで入力して確定してください」と音声出力したり、注文確認画面４００を表示する際に、「注文内容でよろしければログアウトボタンにタッチして下さい。注文を続ける場合は品番入力ボタンにタッチして下さい」と音声出力したりするなど、ユーザの注文操作を案内し促すための音声出力を適宜行うことができる。
【０１０８】
以上のようにして、カメラ１１と紙媒体４の距離を合焦距離に合わせて固定した状態で紙媒体４を撮影することで商品識別情報を読み取り、これにより端末２を用いて簡単な操作でオンライン注文できるようになる。例えば、端末２でタッチ操作を行う回数は、最小で注文用アプリケーションの起動時と注文決定時の２回だけでよい。従って、手書きの注文書を用いたり、ＰＣ画面からオンライン注文を行う従来の注文方法に比べ、操作の手間を省くことができる。また、注文は紙媒体４を用いて行うから、チラシ等から商品を選ぶのと同じ感覚で操作でき、情報機器になじみのない高齢者などでも簡単に注文が可能になる。さらに、詳細な商品情報は電子データとして保持しておくので、チラシ等としては、商品番号４１など最低限の情報を掲載するだけでよく、多数の商品を掲載した一覧性のあるチラシ等が低コストで製作できる利点もある。
【０１０９】
また、ログイン画面３００では数字と文字の入力領域が存在するタッチキー入力部３０１を表示して入力に用いるので、複雑でセキュリティ性の高いパスワード等をより簡易に入力できる。
【０１１０】
さらに、前記のように注文に係る案内を音声出力することによって、注文操作をより簡単に行うことができる。
【０１１１】
加えて、注文の決定に応じて、ユーザが注文している商品の商品情報が注文確認画面４００として端末２に表示されるので、ユーザ自らが注文している商品を容易に把握できるようになる。
【０１１２】
［第２の実施形態］
次に、第２の実施形態として、紙媒体４を撮影した画像データを端末２の表示部２３に表示させながら、表示部２３のタッチパネル機能を利用して注文を行う処理の例を説明する。
【０１１３】
ここで、紙媒体４の商品番号４１の読み取りには、第１の実施形態のように情報読取装置１のカメラ１１と端末２を別体に設けた例のほか、スマートフォンなどの端末２と一体に設けられたカメラを用いることも可能である。そこで、本実施形態ではこのような端末２を用いる例について説明する。
【０１１４】
この際は、端末用ジャケット（固定手段）を端末２に装着することで、端末２のカメラと紙媒体４との距離をカメラからの合焦距離に合わせて固定することが可能である。図１７はこの端末用ジャケットについて示す図である。図１７（ａ）は端末用ジャケットを示す斜視図であり、図１７（ｂ）は端末用ジャケットに端末２を装着した状態を示す側面図である。
【０１１５】
図１７に示す端末用ジャケット６０は、載置台６１の下に基部６３を配置して構成される。載置台６１及び基部６３は樹脂等で一体に形成され、透明性を有する。
【０１１６】
載置台６１は端末２を載置する箇所である。載置台６１は略長方形状の平面を有し、平面形状は端末２とほぼ同形となっている。載置台６１の外周部にはずれ防止ツメ６４が設けられる。ずれ防止ツメ６４はかぎ状に形成され、載置台６１に載置した端末２の側面を係止し、端末２を保持する。
【０１１７】
載置台６１の前部において、端末２を載置した際に端末２のカメラ２９（図１７（ｂ）参照）と対応する位置には、空洞部６５が設けられる。空洞部６５にはクローズアップレンズ６９が取り付けられる。クローズアップレンズ６９は、カメラ２９からの合焦距離を短縮するために設けられる。
【０１１８】
基部６３は略直方体の所定の高さの函状に形成され、載置台６１に載置する端末２を一定の高さに保つ。基部６３の平面形状は載置台６１の前部を後退させたものとなっており、カメラ２９による撮影範囲６６と干渉しないようになっている。
【０１１９】
基部６３の高さは、端末２による情報読取時のカメラ２９からの合焦距離によって定められる。すなわち、基部６３の底面の高さ位置が、端末２のカメラ２９からの合焦距離に対応するように、基部６３の高さが定められる。
【０１２０】
なお、端末２では、必要に応じて付属のＬＥＤランプなどの照明（不図示）を点灯し、撮影範囲６６を照明する。端末用ジャケット６０の載置台６１等は透明性を有し照明光を透過させるので、照明が遮られることはない。
【０１２１】
次に、図１８を参照して、第２の実施形態の注文処理の流れを説明する。図１８は注文処理の流れを示すフローチャートである。図１８のＳ２０１〜Ｓ２１６の処理は、端末２の制御部２１によって実行される処理である。
【０１２２】
なお、ここでは図１７で説明した端末用ジャケット６０に端末２を装着して用いる例を説明するが、第１の実施形態のように情報読取装置１を使用する場合でも、端末２の表示部２３にカメラ１１で紙媒体４を撮影した画像データを表示させることで同様の処理が可能である。
【０１２３】
第２の実施形態では、注文を行う際、まず端末用ジャケット６０を装着した端末２を紙媒体４の上に載置する。そして、端末２の表示部２３に表示された、端末２に予めインストールされている注文用アプリケーションプログラムのアイコンをタッチする。
【０１２４】
これにより、端末２の制御部２１は注文用アプリケーションプログラムを起動し（Ｓ２０１）、サーバ３と接続するとともに、カメラ機能を動作させ、カメラ２９からの合焦距離を所定の値に定めて基部６３の底面の高さ位置、すなわち紙媒体４の上に対応させ、紙媒体４の撮影を行う。すると、カメラ２９で撮影した画像データが、画像表示画面として端末２の表示部２３に表示される。
【０１２５】
図１９は画像表示画面の例を示す図である。図１９に示す画像表示画面６００には、紙媒体４の画像データと併せて、メニューボタン６０１、および「買い物かごを見る」ボタン６０２が表示される。なお、前記と同様、ユーザがログイン状態にある場合などでは、「ようこそ○○様」のように、ユーザ名などを示すメッセージを最初に表示するようにしてもよい。
【０１２６】
メニューボタン６０１は、注文サービスに係るメニュー画面（不図示）を表示するためのものである。
「買い物かごを見る」ボタン６０２は、後述の注文画面８００を表示するためのものである。
【０１２７】
図１８の説明に戻る。前記と同様、ユーザは、紙媒体４上で端末２を移動させ、注文したい商品の商品番号４１が画像表示画面６００に表示されている状態で静止させる。端末２の制御部２１は、カメラ２９が静止している時に紙媒体４を撮影した画像データから、商品番号４１を取得する（Ｓ２０２：Ｙｅｓ）。なお、カメラ２９の静止状態は、端末２が備える加速度センサ（不図示）を用いて判別することができる。あるいは前記と同様、撮影した画像データを用いて判別してもよい。
【０１２８】
また、端末２の制御部２１は、図２０に示すように商品番号４１の領域を囲み線４３で表示するとともに、商品番号４１を読み取ったことを通知するために、端末２が備えたバイブレーション機能を作動させ、「商品を読み取りました」などと音声出力する。
【０１２９】
その後、本実施形態では、第１の実施形態と同様にして、商品番号４１に対応する商品情報等をサーバ３から受信して取得し（Ｓ２０３）、商品情報画面として表示する（Ｓ２０４）。
【０１３０】
図２１は商品情報画面の例を示す図である。図２１に示す商品情報画面７００は、商品番号４１、商品名４２、単価４３、商品画像４４、メニューボタン７０１、「買い物かごを見る」ボタン７０２、「カートへ」ボタン７０３、「やり直し」ボタン７０４等を有する。
【０１３１】
メニューボタン７０１、「買い物かごを見る」ボタン７０２は、図１９等のメニューボタン６０１、「買い物かごを見る」ボタン６０２と同様である。
「カートへ」ボタン７０３は、商品情報画面７００に表示された商品を、注文候補の商品として選択、決定するためのものである。
「やり直し」ボタン７０４は、商品番号４１の商品を注文せず、紙媒体４の読み取りを再開し図１９に示した画像表示画面６００を表示させるためのものである。
【０１３２】
図１８の説明に戻る。ユーザが、商品情報画面７００の商品を注文候補の商品として選択するときは、「カートへ」ボタン７０３にタッチする。端末２の制御部２１は、「カートへ」ボタン７０３にタッチされたことを検出すると（Ｓ２０５：Ｙｅｓ）、この選択を受付け、商品情報画面７００の商品を注文候補の商品とする。
【０１３３】
この時、端末２の制御部２１は、図２２に示すように、「買い物かごを見る」ボタン７０２の近傍で、注文候補の商品の数を示すカウント表示７０５を行い（Ｓ２０６）、紙媒体４の読み取りを再開し図１９に示した画像表示画面６００を表示させ、Ｓ２０２の処理に戻る。なお、前記の画像表示画面６００においてもカウント表示７０５は継続する。このカウント表示７０５は、商品の数が「０」の場合に行わない以外は、注文候補の商品の数に応じて増減させる。
【０１３４】
一方、ユーザが、商品情報画面７００の商品を注文しないときは、「やり直し」ボタン７０４にタッチする。端末２は「やり直し」ボタン７０４にタッチされたことを検出すると（Ｓ２０５：Ｎｏ、Ｓ２０７：Ｙｅｓ）、紙媒体４の読み取りを再開し図１９に示した画像表示画面６００を表示させ、Ｓ２０２の処理に戻る。
【０１３５】
ユーザは、注文候補の商品を全て選択すると、商品情報画面７００にて「買い物かごを見る」ボタン７０２にタッチするか、画像表示画面６００にて「買い物かごを見る」ボタン６０２にタッチする。端末２の制御部２１は、商品情報画面７００にて「買い物かごを見る」ボタン７０２にタッチされたことを検出する（Ｓ２０５：Ｎｏ、Ｓ２０７：Ｎｏ、Ｓ２０８：Ｙｅｓ）か、画像表示画面６００にて「買い物かごを見る」ボタン６０２にタッチされたことを検出する（Ｓ２０２：Ｎｏ、Ｓ２０９：Ｙｅｓ）と、注文候補の商品として選択されている商品の商品情報等を注文画面として表示する（Ｓ２１０）。なお、Ｓ２０８でＮｏの場合はＳ２０５の処理に戻り、Ｓ２０９でＮｏの場合は、Ｓ２０２の処理に戻る。
【０１３６】
図２３は注文画面の例である。図２３に示す注文画面８００は、商品番号４１、商品名４２、単価４３、商品画像４４、数量２０１、数量変更ボタン８０２、小計８０４、配達日８０５、取消ボタン８０６、支払金額合計８０８、注文決定ボタン８０９、「買い物を続ける」ボタン８１０、メニューボタン８１１等を有する。
【０１３７】
数量変更ボタン８０２、小計８０４、配達日８０５、取消ボタン８０６、支払金額合計８０８は、図１６における数量変更ボタン４０２、小計４０４、配達日４０５、取消ボタン４０６、支払金額合計４０８と同様である。
【０１３８】
注文決定ボタン８０９は、図１４における注文決定ボタン２０７と同様である。
「買い物を続ける」ボタン８１０は、図１６における品番入力ボタン４０９と同様、紙媒体４の読み取りを再開し、商品の注文を行うためのボタンである。
メニューボタン８１１は、図１９等におけるメニューボタン６０１や、図２１等におけるメニューボタン７０１と同様である。
【０１３９】
紙媒体４の読み取りを再開し、商品の注文を行う場合、ユーザは「買い物を続ける」ボタン８１０にタッチする。端末２の制御部２１は、「買い物を続ける」ボタン８１０にタッチされたことを検出する（Ｓ２１１：Ｙｅｓ）と、Ｓ２０２の処理に戻る。
【０１４０】
一方、表示された注文内容で注文を決定する場合、ユーザは注文決定ボタン８０９にタッチする。端末２の制御部２１は、注文決定ボタン８０９にタッチされたことを検出する（Ｓ２１１：Ｎｏ、Ｓ２１２：Ｙｅｓ）と、ログイン画面３００を表示してＳ２１３以降の処理に移る。Ｓ２１３以降の処理は、第１の実施形態のＳ１０６以降の処理と略同様であるので、説明を省略する。なお、Ｓ２１２でＮｏの場合は、Ｓ２１１の処理に戻る。
【０１４１】
この第２の実施形態でも、端末２を用いて簡単に商品が注文でき、第１の実施形態と同様の効果が得られる。また、紙媒体４の画像データを端末２の表示部２３に表示させつつ表示部２３から注文を行えるので、注文操作が容易になる。また、商品情報を取得した際に、商品情報画面７００を表示してその商品を注文候補の商品とするか否かの選択を受付けるので、誤って商品番号４１を読み取った場合にも、商品の注文を容易に取りやめることができる。
【０１４２】
さらに、本実施形態では、紙媒体４の画像データを表示部２３に表示させるので、画像データから複数の商品番号４１を読み取った場合、その中から注文したい商品を選択することが可能である。図２４はこれを説明する図であり、カメラ１１で撮影した画像データの中に商品番号４１が複数含まれるケースを示す。
【０１４３】
この場合、端末２の制御部２１は、前記のように画像表示画面６００から自動的に商品情報画面７００に移行することはせず、商品の選択を促すメッセージ６０４として、例えば「どちらかの枠をタッチしてください」などと表示する。ユーザが注文したい商品の商品番号４１に対応する囲み線４３の領域にタッチして商品番号４１を選択すると、端末２の制御部２１は、前記と同様の処理により、選択された商品番号４１に対応する商品情報を、商品情報画面７００として表示する。これによって、複数の商品番号４１を読み取った場合にも、所望の商品が選択でき、商品の注文がより正確に行えるようになる。
【０１４４】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１４５】
１………情報読取装置
２………端末
３………サーバ
４………紙媒体
５………電子コンテンツ
６………ネットワーク
１１、２９………カメラ
１２………筐体
１３………天窓部
１４………中空部
１５………底窓部
４０………商品データ
４１………商品番号
５０………ユーザデータ
６０………端末用ジャケット
１００………情報提供システム
１２１………上面
１２２………下面
２００、８００………注文画面
３００………ログイン画面
４００………注文確認画面
６００………画像表示画面
７００………商品情報画面
【図１】
2014006876.tif 000003
【図２】
2014006876.tif 000004
【図３】
2014006876.tif 000005
【図４】
2014006876.tif 000006
【図５】
2014006876.tif 000007
【図６】
2014006876.tif 000008
【図７】
2014006876.tif 000009
【図８】
2014006876.tif 000010
【図９】
2014006876.tif 000011
【図１０】
2014006876.tif 000012
【図１１】
2014006876.tif 000013
【図１２】
2014006876.tif 000014
【図１３】
2014006876.tif 000015
【図１４】
2014006876.tif 000016
【図１５】
2014006876.tif 000017
【図１６】
2014006876.tif 000018
【図１７】
2014006876.tif 000019
【図１８】
2014006876.tif 000020
【図１９】
2014006876.tif 000021
【図２０】
2014006876.tif 000022
【図２１】
2014006876.tif 000023
【図２２】
2014006876.tif 000024
【図２３】
2014006876.tif 000025
【図２４】
2014006876.tif 000026